(57)【要約】【課題】印鑑の表面に文字やキャラクタ、種々のモチーフの模様、画像、その他のデザインを備えながら、大幅なコスト低減を図ることができる印鑑および印鑑の作成方法を提供しようとする。【解決手段】印鑑本体のカーブした側面に文字や模様、キャラクタ、種々のモチーフの図案、画像、その他のデザイン等を備え、当該デザインがインクジェットプリンタを用いたプリント手段により印鑑本体のカーブした側面に施されていることを特徴とする印鑑。【選択図】    図１
2005067083.tif 000002
【特許請求の範囲】
【請求項１】
印鑑本体のカーブした側面に文字や模様、キャラクタ、種々のモチーフの図案、画像、その他のデザイン等を備え、当該デザインがインクジェットプリンタを用いたプリント手段により印鑑本体のカーブした側面に施されていることを特徴とする印鑑。
【請求項２】
印鑑本体のカーブした側面に形成した文字や模様、キャラクタ、種々のモチーフの図案、画像、その他のデザイン等が、コート層により被覆されていることを特徴とする請求項１に記載の印鑑。
【請求項３】
印鑑本体のカーブした側面に適用しようとする文字や模様、キャラクタ、種々のモチーフの図案、画像、その他のデザイン等を、コンピュータシステムのディスプレイ上で選択および編集して決定する段階と、決定したデザインを印鑑本体のカーブした側面に印刷可能なインクジェットプリンタを用いてプリントする段階とを有するようにしたことを特徴とする印鑑の作成方法。
【請求項４】
印鑑本体のカーブした側面に形成した文字や模様、キャラクタ、種々のモチーフの図案、画像、その他のデザイン等の表面を、コート層により被覆する段階とを有するようにしたことを特徴とする請求項３に記載の印鑑の作成方法。
【発明の詳細な説明】
【技術分野】
【０００１】
この発明は、俗に判子、印判、印章などと称される印鑑に係るものであり、詳しくは、表面に文字や模様、キャラクタ、種々のモチーフの図案、画像、その他のデザイン等が印刷された印鑑、およびそのような印鑑の作成方法に関するものである。
【背景技術】
【０００２】
一般に印鑑は、長い年月の間に国民生活の中にすっかりとけこんで、今では欠くことのできない生活必需品となっている。
また、五千年にもおよぶとされる印鑑を歴史的に見れば、その材料である印材は、金、銅、鉄などの金属製によるもの、田黄石、鶏血石などの石印材によるもの、また黄楊、梅、桜、紫檀、黒檀などの木印材からなるもの、もっぱら竹の根の部分を印材として用いた竹製のもの、象牙や水牛の角などからなるもの、碧玉、白玉、青玉、黄玉などの玉印材や水晶を印材として用いたもの、土をこねて焼いた陶印、石の粉をこねて焼いた磁印、合成樹脂材を型成形して得る合成樹脂製からなるものなど、多種多様であり、さらに、印鑑のその形状も千差万別であった。
【０００３】
しかしながら、近年実用されている印鑑において、その印面形状は丸型、四角、楕円、長方形等であって、あまり奇抜な形状のものは見受けられないのであり、また実印と呼ばれる登録印においては、印鑑を捺印して得た印影の大きさが自治省の通達により制定されており、８ミリメートルの正方形に収まらないものであって、２５ミリメートルの正方形をはみ出さないものとされている。
また、通常印鑑と言えば、日ごろ身近に使用されている実用印鑑を指し示すものとなっている。これより、市場には所謂三文判などと称せられる合成樹脂製や木製のものが多く流通し、最も重要な印鑑とされる実印においても紫檀、黒檀などの木製や、水牛の角製や象牙製などと印材も限られており、印鑑の印面において篆刻により名字等が彫られているのみで、印鑑自体には何ら美術的な装飾もない実用本位のものである。
【０００４】
例えば印鑑として、その側面に種々の模様等が施されているものも見受けられるが、それらは仏像や家紋等であって、通常彫刻や漆塗り等によって形成されている。
例えば登録実用新案第３０５９８２１号公報（特許文献１参照）には、図５に示すように、一方の端面が印面として名字等が篆刻されている一方、他端面の縁部が円弧状に切削加工された断面円形の印鑑本体２と、当該印鑑本体２の周側面上の所要位置に貼着される印面上下識別小型凸片５と、色漆を主剤とする漆塗料による筆書きにより描かれた絵柄で、上記印面上下識別小型凸片５を隠蔽するように形成した塗膜形成部４から成る印鑑１が記述されている。
【特許文献１】登録実用新案第３０５９８２１号公報
【発明の開示】
【発明が解決しようとする課題】
【０００５】
しかしながら上記従来の技術においては、漆塗料による筆書きにより描かれた絵柄を有するものであったり、彫刻により模様等が彫られているものであり、それ以外のものは何ら美術的な装飾もない実用本位な物品であって、優美な味わいを欠くという欠点があった。
【０００６】
また、漆塗料による筆書きにより描かれた絵柄を有するものであったり、彫刻により模様等が彫られているものの場合、量産に向いていないことはもちろん、高価で一般には手の届きにくいものとなってしまうという問題があった。
【０００７】
そこで、本発明に係る印鑑および印鑑の作成方法は上記欠点等に鑑みてなされたものであり、その目的とするところは、印鑑の表面に文字や模様、キャラクタ、種々のモチーフの図案、画像、その他のデザイン等を備えながら、大幅なコスト低減を図ることができる印鑑および印鑑の作成方法を提供することにある。
【課題を解決するための手段】
【０００８】
すなわちこの発明に係る印鑑は、印鑑本体のカーブした側面に文字や模様、キャラクタ、種々のモチーフの図案、画像、その他のデザイン等を備え、当該デザインがインクジェットプリンタを用いたプリント手段により印鑑本体のカーブした側面に施されていることを特徴とするものである。
【０００９】
この発明に係る印鑑は、上記印鑑本体のカーブした側面に形成した文字や模様、キャラクタ、種々のモチーフの図案、画像、その他のデザイン等が、コート層により被覆されていることをも特徴とするものである。
【００１０】
またこの発明に係る印鑑の作成方法は、印鑑本体のカーブした側面に適用しようとする文字や模様、キャラクタ、種々のモチーフの図案、画像、その他のデザイン等を、コンピュータシステムのディスプレイ上で選択および編集して決定する段階と、決定したデザインを印鑑本体のカーブした側面に印刷可能なインクジェットプリンタを用いてプリントする段階とを有するようにしたことを特徴とするものである。
【００１１】
この発明に係る印鑑の作成方法は、上記印鑑本体のカーブした側面に形成した文字や模様、キャラクタ、種々のモチーフの図案、画像、その他のデザイン等の表面を、コート層により被覆する段階とを有するようにしたことをも特徴とするものである。
【発明の効果】
【００１２】
以上のように本発明によれば、印鑑の表面に文字や模様、キャラクタ、種々のモチーフの図案、画像、その他のデザイン等を備えながら、大幅なコスト低減を図ることができる印鑑および印鑑の作成方法を提供することが可能となった。
【発明を実施するための最良の形態】
【００１３】
以下、この発明の印鑑および印鑑の作成方法の実施の形態について、図面に基いて詳述する。
【００１４】
それぞれ、図１はこの発明で得られた印鑑の例を示す正面図、図２は印鑑表面の展開図、図３は印鑑の断面図、また図４はこの発明に係る印鑑の作成方法の例を示すフローチャートである。
【００１５】
なお、この発明の実施の形態については、断面が円形である柱状の印鑑本体により説明をするが、言及するまでもなく、断面が楕円形である柱状の印鑑本体についても、本発明の要旨は適用可能である。
【００１６】
図１ないし図３において、この発明に係る印鑑１１を構成する印鑑本体１２の側面には、デザイン形成層１４によりウサギと亀の絵柄が形成されており、従来の実用本位の印鑑に比べ極めて優美な趣が感じられる。なお、ここで本発明に係る印鑑本体１２は合成樹脂製や、紫檀、黒檀などの木製、水牛の角製や象牙製などの動物製、あるいはチタンその他の金属製の印材を用いて作成されている。もちろん、上記印鑑１１の表面に形成されるデザインとの関係から透明な合成樹脂製の印材を用いてもよい。
【００１７】
この発明に係る印鑑１１は、断面が円形である柱状の印鑑本体１２と、当該印鑑本体１２の側面全面に形成されたデザイン形成層１４から構成されている。ここでデザイン形成層１４は、図３のように上記ウサギと亀の絵柄を備えたものであって、インクジェットプリンタにより所定の厚みに形成されており、得た印鑑１１は滑らかな手触りを有していて、高級感を増している。
【００１８】
また、印鑑１１の印鑑本体１２の側面全面にインクジェットプリンタにより所定の厚みに形成されたデザイン形成層１４は、さらに透明その他のコーティング材を用いた表面コート層１５が形成されており、光沢のあるものや、つや消し等の表面コート層１５との調和により、デザイン形成層１４は極めて優美な趣きを出すことができる。
【００１９】
次に、図４のフローチャートに基いてこの発明に係る印鑑の作成方法を説明する。図示のように、この発明に係る印鑑の作成方法においては、先ず、断面が円形である柱状の印鑑本体１２を用意する（ステップＡ１）。
そしてこれとは別に、文字やキャラクタ、種々のモチーフの模様、画像、その他のデザインを用意する（ステップＢ１）。なおこれらのデザインとしては、コンピュータ上で、あるいはデジタルカメラで撮像した画像や画像データベースから取得した画像等であることが望ましい。
その後、コンピュータのモニタに文字や模様、キャラクタ、種々のモチーフの図案、画像、その他のデザイン等を呼び出し、モニタ上で選択したり、適宜編集して印鑑に付すべきデザインを決定する（ステップＢ２）。
そして、決定した文字や模様、キャラクタ、種々のモチーフの図案、画像、その他のデザイン等をインクジェットプリンタを用いて印鑑１１の側面にプリントする（ステップＢ３）。このようなプリント作業は、カーブした側面にプリント可能なインクジェットプリンタを用いて簡易かつ迅速に行なうことができる。
このようにして側面にデザイン形成層１４を施された印鑑１１（ステップＡ２）は、さらに上記デザイン形成層１４上に表面コート層１５を形成される（ステップＢ４）。上記表面コート層１５の形成は、種々の塗料の液槽内に浸け込んだり、塗液の上を転がしたり、噴霧した塗液の雰囲気中に置くことにより行なうことができる。
このようにして上記各ステップが終了すると、印鑑１１は最終的な完成を見るのである（ステップＡ３）。
なお、印面１３の形成は、印鑑１１に表面コート層１５を形成した後に行なえばよい。もちろん、上下を簡単に合わせることができたり、デザイン形成層１４が傷ついたりしないこと等を勘案して、適宜加工の段階を決定することができる。
【産業上の利用可能性】
【００２０】
本発明に係る印鑑および印鑑の作成方法は以上のように構成されているので、表面が平滑な印材を用いたものであれば、三文判や銀行印、実印その他適宜の印鑑に適用することが可能である。
【００２１】
またこの発明は、印鑑本体の側面上に形成されるデザインの別により、例えば、家族各人の印鑑の別を容易に識別することができるものとすることが可能で、各人ごとの個性に応じた文字や模様、キャラクタ、種々のモチーフの図案、画像、その他のデザイン等を採用して、いわゆるオーダーメイドの多様なニーズに答えることが可能な印鑑を提供することができる。
【図面の簡単な説明】
【００２２】
【図１】この発明で得られた印鑑の例を示す正面図である。
【図２】印鑑表面の展開図である。
【図３】印鑑の断面図である。
【図４】この発明に係る印鑑の作成方法の例を示すフローチャートである。
【図５】従来の印鑑の断面図である。
【符号の説明】
【００２３】
１１ 印鑑
１２ 印鑑本体
１３ 印面
１４ デザイン形成層
１５ 表面コート層
【図１】
2005067083.tif 000003
【図２】
2005067083.tif 000004
【図３】
2005067083.tif 000005
【図４】
2005067083.tif 000006
【図５】
2005067083.tif 000007